(57)【要約】【課題】本開示は、上部カバー後方に設けられた操作表示部の下方にヒンジ構造を収納させることで、外観品位の高い洗濯機を提供する。【解決手段】本開示における洗濯機は、外枠及び上部カバーと、洗濯槽と、蓋と、ヒンジ部と、操作表示ユニットと、を備える。上部カバーは、衣類を投入するための投入口を有する。洗濯槽は、上方に開口し、外枠に内包される。蓋は、投入口の上方を覆うように設けられる。ヒンジ部は、蓋を開閉自在に支持する。操作表示ユニットは、投入口の後方に設けられ、洗濯運転に関する指示を設定し、表示する。また、操作表示ユニットの横幅寸法は、筐体の横幅寸法と略同一となっており、ヒンジ部は、操作表示ユニットの下方に位置する。これにより、ヒンジ部が操作表示ユニットに内包されるので、操作表示ユニット周辺の外観品位が向上する。【選択図】図４
2019180563.tif 000002
【特許請求の範囲】
【請求項１】
衣類を投入するための投入口を有する筐体と、
上方に開口し、前記筐体に内包される収容部と、
前記投入口の上方を覆うように設けられる蓋体と、
前記蓋体を開閉自在に支持するヒンジ構造と、
前記投入口の後方に設けられ、洗濯運転に関する指示を設定し、表示する操作表示部と、を備え、
前記操作表示部の横幅寸法は、前記筐体の横幅寸法と略同一となっており、
前記ヒンジ構造は、前記操作表示部の下方に位置する、
洗濯機。
【請求項２】
前記ヒンジ構造は、
前記蓋体の後方部に設けられた蓋回転軸と、
前記蓋回転軸を支持する軸受と、
を有する、
請求項１に記載の洗濯機。
【請求項３】
前記蓋回転軸は、前記蓋体の側面から前記操作表示部の内側に向けて延伸する、略円柱形状であり、前記操作表示部の側面に設けられた孔に貫通する、
請求項２に記載の洗濯機。
【請求項４】
蓋体は、後方に延設され、下に凸である略半円の板状に形成されるカバー部を有し、
前記蓋回転軸は、前記カバー部の内面側に設けた、
請求項２または３に記載の洗濯機。
【請求項５】
前記筐体には、前記カバー部の対応位置に、下に凹である略半円状の凹形状部を設け、
前記カバー部は、前記凹形状部に収容される、
請求項４に記載の洗濯機。
【発明の詳細な説明】
【技術分野】
【０００１】
本発明は、後方に操作表示部を備えた洗濯機に関する。
【背景技術】
【０００２】
特許文献１は、後方に操作表示部を備えた洗濯機を開示する。特許文献１において、洗濯機は、投入口が形成された筐体と、筐体内に収容される洗濯槽と、投入口を覆う閉状態をとることができる蓋体と、蓋体を回動可能に支持するヒンジ構造と、洗濯機の動作内容に関する動作要求を受け付け、使用者が与えた入力内容を表示する操作部と、を備える。また、操作部は、投入口の後方に形成されており、操作部の左右にヒンジ構造が配置されている。
【先行技術文献】
【特許文献】
【０００３】
【特許文献１】特開２０１５−１９２７７４号公報
【発明の概要】
【発明が解決しようとする課題】
【０００４】
本開示は、外観品位を向上させる洗濯機を提供する。
【課題を解決するための手段】
【０００５】
本開示における洗濯機は、筐体と、洗濯槽と、ヒンジ構造と、操作表示部と、を備える。筐体は、衣類を投入するための投入口を有する。洗濯槽は、上方に開口し、筐体に内包される。蓋体は、投入口の上方を覆うように設けられる。ヒンジ構造は、蓋体を開閉自在に支持する。操作表示部は、投入口の後方に設けられ、洗濯運転に関する指示を設定し、表示する。また、操作表示部の横幅寸法は、筐体の横幅寸法と略同一となっており、ヒンジ構造は、操作表示部の下方に位置する。
【発明の効果】
【０００６】
本開示における洗濯機は、外観品位を向上させることができる。
【図面の簡単な説明】
【０００７】
【図１】実施の形態１における洗濯機の蓋が閉状態の時の外観斜視図
【図２】実施の形態１における洗濯機の蓋が開状態の時の外観斜視図
【図３】実施の形態１における洗濯機の蓋の構造を示す分解斜視図
【図４】実施の形態１における洗濯機のヒンジ部の構造を示す分解斜視図
【図５】図６〜図８の断面図における断面位置を示す模式図
【図６】実施の形態１における洗濯機のヒンジ部周辺のＡ−Ａ縦断面図
【図７】実施の形態１における洗濯機の蓋が閉状態の時のヒンジ部周辺のＢ−Ｂ縦断面図
【図８】実施の形態１における洗濯機の蓋が開状態の時のヒンジ部周辺のＢ−Ｂ縦断面図
【発明を実施するための形態】
【０００８】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【０００９】
なお、添付図面および以下の説明は、当業者が本開示を十分に理解するために提供されるのであって、これらにより特許請求の範囲に記載の主題を限定することを意図していない。
【００１０】
（実施の形態１）
図１は、実施の形態１における洗濯機の蓋が閉状態の時の外観斜視図、図２は、実施の形態１における洗濯機の蓋が開状態の時の外観斜視図、図３は、実施の形態１における洗濯機の蓋の構造を示す分解斜視図、図４は、実施の形態１における洗濯機のヒンジ部の構造を示す分解斜視図、図５は、図６〜図８の断面図における断面位置を示す模式図、図６は、実施の形態１における洗濯機のヒンジ部周辺のＡ−Ａ縦断面図、図７は、実施の形態１における洗濯機の蓋が閉状態の時のヒンジ部周辺のＢ−Ｂ縦断面図、図８は、実施の形態１における洗濯機の蓋が開状態の時のヒンジ部周辺のＢ−Ｂ縦断面図である。
【００１１】
図１及び図２を用いて、洗濯機１００の基本構成を説明する。
【００１２】
洗濯機１００は、外枠１１０と、上部カバー３００と、蓋５００と、操作表示ユニット４００とを備える。上部カバー３００は、衣類を投入するための投入口３１０が形成されており、外枠１１０の上部に固定されている。外枠１１０内部には、洗濯槽２００が内包されている。洗濯槽２００は、上方に開口した有底円筒状であり、投入口３１０に開口が対向するように配設されている。
【００１３】
蓋５００は、前蓋体５１０と後蓋体５２０と折れ蓋軸部５３０により構成されており、投入口３１０を覆うように上部カバー３００上に開閉自在に設けられる。前蓋体５１０と後蓋体５２０は、折れ蓋軸部５３０を支点として、回動可能に接続されている。後蓋体５２０は、上部カバー３００の後方に回動可能に接続されている。前蓋体５１０には取手部５１３が形成されており、取手部５１３はユーザが手を差し込んで掴むことができるように構成されている。ユーザは、取手部５１３を掴み、前蓋体５１０を上方へ持ち上げて後方へ押し込むことで、蓋５００を開状態とすることができる。図２のように、開状態の時の蓋は、折れ蓋軸部５３０が上になるように折り畳まれ、上部カバー３００の後方上部に位置する。
【００１４】
操作表示ユニット４００は、ディスプレイ４１１と、操作ボタン４１２と、ユニットカバー４２１とを備える。ユーザは、ディスプレイ４１１に表示された洗濯運転情報を確認し、操作ボタン４１２により洗濯運転に関する指示を設定することができる。操作表示ユニット４００は、上部カバー３００の後方部に配設されている。操作表示ユニット４００が投入口３１０の後方にあることで、ユーザは、投入口３１０へ洗濯物を出し入れしやすくなる。操作表示ユニット４００の横幅寸法は、蓋の横幅寸法と略同一となっている。操作表示ユニット４００の長辺と後蓋体５２０との間は、蓋５００が閉状態である場合は、段差が生じないように構成されている。従って、蓋５００が閉状態である時、操作表示ユニット４００と蓋５００とは、フラットな平面を形成する。また、蓋５００は、開状態である時、操作表示ユニット４００の後方に位置する。従って、ユーザは、蓋５００が開状態である時も、ディスプレイ４１１の視認や操作ボタン４１２の利用が可能である。
【００１５】
図３を用いて、蓋５００の構成を説明する。前蓋体５１０は、上から、前蓋天面部５１１と、前蓋外周部５１２、前蓋裏面部５１４とから構成されている。前蓋外周部５１２は、前蓋天面部５１１と前蓋裏面部５１４に挟まれるように設けられているが、前蓋外周部５１２の側面は、外部より視認可能となるように構成されている。
【００１６】
後蓋体５２０は、後蓋天面部５２１と、後蓋外周部５２２と、後蓋裏面部５２４と、を
備える。後蓋裏面部５２４は、後蓋天面部５２１の下部に設けられている。後蓋外周部５２２は、後蓋天面部５２１の側面に配置され、左右二箇所にそれぞれ設けられる。
【００１７】
前蓋裏面部５１４の後端部と、後蓋裏面部５２４の前端部には、折れ蓋軸部５３０の一部がそれぞれ形成されている。折れ蓋軸部ガイド板６０４は、後蓋裏面部５２４における折れ蓋軸部５３０の一部に、ネジにより固定されている。前蓋裏面部５１４における折れ蓋軸部５３０の一部と、後蓋裏面部５２４における折れ蓋軸部５３０の一部が係合し、その部分を折れ蓋軸部ガイド板６０４で覆うことで、前蓋体５１０と後蓋体５２０を回動可能に接続する。
【００１８】
図４を用いて、ヒンジ部７００について説明する。ヒンジ部７００は、蓋５００と、上部カバー３００と、操作表示ユニット４００における各部品が組み合わされることで、構成される。ヒンジ部７００は、主に、蓋回転軸５２５と、蓋回転軸受３２１と、蓋回転軸ガイド板６０２とを備え、蓋５００を回動可能に接続する。
【００１９】
続いて、図３および図４を用いて、蓋回転軸５２５の構成を説明する。後蓋ヒンジカバー部５２３は、後蓋体５２０裏面部の後方に延設され、下に凸である略半円の板状に形成される。後蓋ヒンジカバー部５２３の内側の面には、略半円柱状に形成された蓋回転軸５２５の下半分５２５ａが設けられている。また、後蓋外周部５２２には、略半円柱状に形成された蓋回転軸５２５の上半分５２５ｂが設けられている。後蓋外周部５２２における蓋回転軸５２５の上半分５２５ｂと、後蓋裏面部５２４における蓋回転軸５２５の下半分５２５ａは、ネジにより固定され、蓋回転軸５２５を形成する。また、蓋回転軸５２５の強度を確保するため、蓋回転軸５２５の上半分５２５ｂと下半分５２５ａの間に、ヒンジ補強板６０５が設けられる。ヒンジ補強板６０５は、蓋回転軸５２５の下半分及び後蓋裏面部５２４の上に、ネジで固定される。  図５では、図６〜図８における縦断面図の断面位置を示している。
【００２０】
図４及び図６において、蓋回転軸５２５は、蓋回転軸凹部５４１を備える。また、上部カバー３００は、蓋回転軸受３２１と、蓋回転軸凸部３２２とを備える。蓋回転軸５２５は、蓋回転軸凸部３２２が蓋回転軸凹部５４１の内部に挿入された状態で、半円状の蓋回転軸受３２１の上に配置される。これによって、蓋回転軸５２５の胴部および先端部を支持する構成としている。また、蓋回転軸５２５の上には蓋回転軸ガイド板６０２が配置され、ヒンジ部用ネジ６０３で上部カバー３００に固定されている。
【００２１】
また、上部カバー３００には、後蓋ヒンジカバー部５２３の対応位置に下に凹である略半円状の凹形状部３２０を設けている。この凹形状部３２０に後蓋ヒンジカバー部５２３が収容され、回転することで、蓋５００が上部カバー３００から横にはみ出さない構成とすることができる。
【００２２】
次に、ヒンジ部７００と、操作表示ユニット４００との関係を説明する。操作表示ユニット４００の有するユニットカバー４２１は、前方を爪嵌合、後方をネジ止めにより、上部カバー３００に固定されている。ユニットカバー４２１に設けられた蓋回転軸用切欠部４３１は、半円状に形成された切欠部であり、蓋回転軸受３２１と併せて円状の孔を形成する。ユニットカバー４２１は、蓋回転軸用切欠部４３１が蓋回転軸受３２１の上に当接するように、配置されている。すなわち、蓋回転軸５２５は、蓋回転軸用切欠部４３１と蓋回転軸受３２１により形成された孔を貫通するように配置されている。従って、ヒンジ部７００の大部分は、ユニットカバー４２１の内部に内包されている。ユニットカバー４２１に内包されていない端部は、後蓋ヒンジカバー部５２３に覆われており、外部から視認されない。
【００２３】
図７、図８を用いて、蓋５００の閉状態及び開状態におけるヒンジ部７００の違いを説明する。
【００２４】
図７は、閉状態におけるヒンジ部７００の構造を示している。図７及び８において、ヒンジ部７００は、バネ収容部３２４と、バネ６０１と、ストッパー受け凸部５４３と、ストッパー受面３２５と、を備えている。バネ収容部３２４は、上部カバー３００に形成され、蓋回転軸５２５の後方下部に配置されている。バネ収容部３２４の内部には、バネ６０１が配置されている。バネ６０１は、一端は上部カバー３００に設けられたバネ取付溝３２３に、他端は蓋回転軸５２５に形成されたバネ取付穴５４２に固定されている。バネ６０１は、閉状態において圧縮された状態であり、開状態となる向きに付勢されている。ユーザが、蓋５００を上方へ持ち上げると、開方向へのバネ６０１の付勢力が働く。従って、ユーザは、楽に蓋５００を開状態にすることができる。
【００２５】
また、蓋回転軸５２５の上部には、ストッパー受け凸部５４３が設けられており、バネ収容部３２４の側面には、ストッパー受面３２５が設けられている。閉状態において、ストッパー受け凸部５４３とストッパー受面３２５は接していない。
【００２６】
図８は、開状態におけるヒンジ部７００の構造を示している。蓋５００は、ストッパー受け凸部５４３がストッパー受面３２５に接しているため、これ以上開くことができない。これにより、蓋５００を一定の開き角度で保持できるようになっている。
【００２７】
以上から、本実施の形態におけるヒンジ部７００の作用を説明する。
【００２８】
本実施の形態における蓋回転軸５２５は、円柱状に構成される。蓋回転軸５２５は、半円状の蓋回転軸受３２１と当接されることで、蓋５００を安定的に上部カバー３００上に支持することができる。外側に露出する後蓋ヒンジカバー部５２３は、応力をあまり受けないため、厚みを薄くすることができる。
【００２９】
本実施の形態におけるヒンジ部７００は、上部カバー３００上部の左右二箇所にそれぞれ配置されている。それに加え、蓋回転軸５２５の後方下部にバネ６０１が配置されている。これにより、ヒンジ部７００を小型にすることができるため、ユニットカバー４２１内部における操作表示基板４２２のための空間を損なわない。
【００３０】
本実施の形態における操作表示ユニット４００の横幅寸法は、蓋の横幅寸法と略同一にすることができるため、操作ボタン４１２やディスプレイ４１１を幅広く配置することができる。これにより、操作ボタン４１２の個数を増やしたり、操作ボタン４１２同士の間隔を広げたりすることが可能となり、操作性が向上する。
【００３１】
本実施の形態における蓋回転軸５２５は、蓋回転軸用切欠部４３１と蓋回転軸受３２１により形成された孔に貫入させたことにより、操作表示ユニット４００のユニットカバー４２１でヒンジ部７００を覆うことができるため、ヒンジ部７００を覆うための特殊なカバーを設けずに済む。これにより、部品点数を削減することができるとともに、組み立ての工数も削減することができる。
【００３２】
本実施の形態におけるヒンジ部７００は、ユニットカバー４２１内部に収納されたことにより、蓋５００が開状態であってもヒンジ部７００が外部から視認されないようになっている。これにより、ユーザにヒンジ部７００の存在を感じさせにくくなり、蓋５００を開状態とした時の外観品位を損なわない。また、ユニットカバー４２１でヒンジ部７００と操作表示基板４２２を一体的に覆っているため、ユニットカバー４２１表面には隙間や凹凸が存在しない。従って、洗剤等をこぼしたとしてもすぐに拭き取ることができる。
【００３３】
以上のように、本実施の形態において、洗濯機１００は、外枠１１０及び上部カバー３００と、洗濯槽２００と、蓋５００と、ヒンジ部７００と、操作表示ユニット４００と、を備える。上部カバー３００は、衣類を投入するための投入口３１０を有する。洗濯槽２００は、上方に開口し、外枠１１０に内包される。蓋は、投入口３１０の上方を覆うように設けられる。ヒンジ部７００は、蓋５００を開閉自在に支持する。操作表示ユニット４００は、投入口３１０の後方に設けられ、洗濯運転に関する指示を設定し、表示する。また、操作表示ユニット４００の横幅寸法は、上部カバー３００の横幅寸法と略同一となっており、ヒンジ部７００は、操作表示ユニット４００の下方に位置する。
【００３４】
これにより、ヒンジ部７００の上部を覆う特殊なカバーを設けずに済むとともに、蓋５００を開状態にしてもヒンジ部７００が外部に露出せずに済む。そのため、操作表示ユニット４００周辺のお手入れ性を向上させることができるとともに、蓋５００を開状態とした時の外観品位が向上する。
【００３５】
本実施の形態のように、ヒンジ部７００は、蓋５００の後方部に設けられた蓋回転軸５２５と、蓋回転軸５２５を支持する蓋回転軸受３２１及び蓋回転軸ガイド板６０２と、を有する構成にしてもよい。
【００３６】
これにより、ヒンジ部７００を操作表示ユニット４００の内部に収納しつつも、左右のヒンジ部７００のみで蓋５００を上部カバー３００上に支持することができる。また、ヒンジ部７００の側面を覆う後蓋ヒンジカバー部５２３を薄くすることができる。そのため、ユーザがヒンジ部７００の存在を感じにくくなり、洗濯機１００の外観品位が向上する。
【００３７】
本実施の形態のように、蓋回転軸５２５は、後蓋ヒンジカバー部５２３から操作表示ユニット４００の内側に向けて延伸する、略円柱形状であり、蓋回転軸用切欠部４３１及び蓋回転軸受３２１により形成された孔を貫通する、構成にしてもよい。
【００３８】
これにより、ヒンジ部７００を操作表示ユニット４００の内部に収納しつつも、左右のヒンジ部７００のみで蓋５００を上部カバー３００上に支持することができる。また、ヒンジ部７００の側面を覆う後蓋ヒンジカバー部５２３を薄くすることができる。そのため、ユーザがヒンジ部７００の存在を感じにくくなり、洗濯機１００の外観品位が向上する。
【００３９】
本実施の形態のように、蓋５００は、後方に延設され、下に凸である略半円の板状に形成される後蓋ヒンジカバー部５２３を有し、前記蓋回転軸は、前記カバー部の内面側に設けた、構成にしてもよい。そして、上部カバー３００には、後蓋ヒンジカバー部５２３の対応位置に、下に凹である略半円状の凹形状部３２０を設け、後蓋ヒンジカバー部５２３は、凹形状部３２０に収容され、回転する、構成にしてもよい。
【００４０】
これにより、蓋５００が上部カバー３００から横にはみ出さない構成とすることができ、洗濯機１００の横幅を増やすことなく、外観品位が向上する。
【００４１】
（他の実施の形態）
以上のように、本出願において開示する技術の例示として、実施の形態１を説明した。しかしながら、本開示における技術は、これに限定されず、変更、置き換え、付加、省略などを行った実施の形態にも適用できる。また、上記実施の形態１で説明した各構成要素を組み合わせて、新たな実施の形態とすることも可能である。
【００４２】
そこで、以下、他の実施の形態を例示する。
【００４３】
実施の形態１では、蓋回転軸の一例として、後蓋外周部と後蓋裏面部とにそれぞれ設けられた蓋回転軸の半分を、ネジにより固定することで蓋回転軸とする構成を説明した。蓋回転軸は、蓋の後方部に設けられていればよいので、後蓋外周部又は後蓋裏面部のどちらか一方に設置されていてもよい。
【００４４】
実施の形態１では、軸受の一例として蓋回転軸受及び蓋回転軸ガイド板を説明した。軸受は、蓋回転軸を支持する構造であればよいので、蓋回転軸受及び蓋回転軸ガイド板に限定されない。例えば、蓋回転軸ガイド板の代わりに、ユニットカバーの一部として形成されたガイド板を用いてもよい。ただし、蓋回転軸ガイド板を用いれば、特殊な形状の部品を作らなくてもよくなる。
【００４５】
なお、上述の実施の形態は、本開示における技術を例示するためのものであるから、特許請求の範囲またはその均等の範囲において種々の変更、置き換え、付加、省略などを行うことができる。
【産業上の利用可能性】
【００４６】
本開示は、上部に衣類の投入口を有する洗濯機に適用可能である。具体的には、縦型洗濯機、縦型洗濯乾燥機、二槽式洗濯機などに、本開示は適用可能である。
【符号の説明】
【００４７】
１００  洗濯機
１１０  外枠（筐体）
２００  洗濯槽（収容部）
３００  上部カバー（筐体）
３１０  投入口
３２０  凹形状部
３２１  蓋回転軸受
３２２  蓋回転軸凸部
３２３  バネ取付溝
３２４  バネ収容部
３２５  ストッパー受面
４００  操作表示ユニット（操作表示部）
４１１  ディスプレイ
４１２  操作ボタン
４２１  ユニットカバー
４２２  操作表示基板
４３１  蓋回転軸用切欠部
５００  蓋（蓋体）
５１０  前蓋体
５１１  前蓋天面部
５１２  前蓋外周部
５１３  取手部
５１４  前蓋裏面部
５２０  後蓋体
５２１  後蓋天面部
５２２  後蓋外周部
５２３  後蓋ヒンジカバー部（カバー部）
５２４  後蓋裏面部
５２５  蓋回転軸
５２５ａ  下半分
５２５ｂ  上半分
５３０  折れ蓋軸部
５４１  蓋回転軸凹部
５４２  バネ取付穴
５４３  ストッパー受け凸部
６０１  バネ
６０２  蓋回転軸ガイド板
６０３  ヒンジ部用ネジ
６０４  折れ蓋軸部ガイド板
６０５  ヒンジ補強板
【図１】
2019180563.tif 000003
【図２】
2019180563.tif 000004
【図３】
2019180563.tif 000005
【図４】
2019180563.tif 000006
【図５】
2019180563.tif 000007
【図６】
2019180563.tif 000008
【図７】
2019180563.tif 000009
【図８】
2019180563.tif 000010